(57)【特許請求の範囲】
【請求項１】
ユーザの携帯電話機にメッセージチャット履歴リストを表示するメッセージチャット履歴リスト表示方法であって、
前記メッセージチャット履歴リストは、前記ユーザと他の受信ユーザ又は連絡先である受信者との間の１対１の単独のチャットにおけるメッセージと、前記ユーザと前記受信者との間の１対多のチャットにおける同報メッセージと、を含み、
前記メッセージチャット履歴リストは、チャット画面内に表示され、
前記ユーザが前記同報メッセージを送信した送信時間及び前記受信者を検索するステップと、
前記送信時間に基づいて、前記同報メッセージを前記ユーザと前記受信者の各々との単独のチャットのチャット画面内に追加するステップと、を含み、
前記同報メッセージの受信者及び送信時間に基づいて、当該同報メッセージを当該受信者との単独のチャットのチャット画面に追加し、前記同報メッセージの受信者から返信されたメッセージを当該同報メッセージのチャット画面内に表示することで、当該同報メッセージと前記単独のチャットとを関連付け、これにより、前記ユーザに前記単独のチャットのチャット画面内で前記メッセージチャット履歴リストにおける正確な位置に表示される前記同報メッセージを確認させ、
前記送信時間に基づいて、前記同報メッセージを前記ユーザと前記受信者の各々との単独のチャットのチャット画面内に追加するステップは、
前記受信者ごとに、前記ユーザと当該受信者との単独のチャットが存在するか否かを判定し、存在すると判定する場合、前記送信時間に基づいて、前記同報メッセージを前記ユーザと当該受信者との単独のチャットのチャット画面内に追加し、存在しないと判定する場合、前記同報メッセージを表示するための新しい単独のチャットを確立されないステップを含む
ことを特徴とするメッセージチャット履歴リスト表示方法。
【請求項２】
リンクを設定することで、前記同報メッセージを前記ユーザと前記受信者の各々との単独のチャットのチャット画面内に表示する
ことを特徴とする請求項１に記載のメッセージチャット履歴リスト表示方法。
【請求項３】
さらに、前記ユーザと前記受信者の各々との単独のチャットのチャット画面内には、前記同報メッセージの通信状態を表示するステップを含む
ことを特徴とする請求項２に記載のメッセージチャット履歴リスト表示方法。
【請求項４】
前記通信状態は、送信中、送信済、既読、又は送信失敗を含む
ことを特徴とする請求項３に記載のメッセージチャット履歴リスト表示方法。
【請求項５】
さらに、
前記ユーザと前記受信者の各々との単独のチャットのチャット画面内には、前記同報メッセージを強調表示するステップを含む
ことを特徴とする請求項１に記載のメッセージチャット履歴リスト表示方法。
【請求項６】
前記送信時間及び前記受信者に基づいて、前記ユーザが受信したメッセージを検索し、当該受信したメッセージの中、当該受信者の各々から前記送信時間の後に最初に返信されたメッセージを、前記同報メッセージのチャット画面内に追加するステップと、をさらに含む
ことを特徴とする請求項１に記載のメッセージチャット履歴リスト表示方法。
【請求項７】
メッセージチャット履歴リストを表示する携帯電話機であって、
前記メッセージチャット履歴リストは、前記携帯電話機のユーザと他の受信ユーザ又は連絡先である受信者との間の１対１の単独のチャットにおけるメッセージと、前記ユーザと前記受信者との間の１対多のチャットにおける同報メッセージと、を含み、
前記メッセージチャット履歴リストは、チャット画面内に表示され、
前記ユーザが前記同報メッセージを送信した送信時間及び前記受信者を検索するための第１検索モジュールと、
前記送信時間に基づいて、前記同報メッセージを前記ユーザと前記受信者の各々との単独のチャットのチャット画面内に追加するための第１処理モジュールと、を含み、
前記同報メッセージの受信者及び送信時間に基づいて、当該同報メッセージを当該受信者との単独のチャットのチャット画面に追加し、前記同報メッセージの受信者から返信されたメッセージを当該同報メッセージのチャット画面内に表示することで、当該同報メッセージと前記単独のチャットとを関連付け、これにより、前記ユーザに前記単独のチャットのチャット画面内で前記メッセージチャット履歴リストにおける正確な位置に表示される前記同報メッセージを確認させ、
前記第１処理モジュールは、さらに、前記受信者ごとに、前記ユーザと当該受信者との単独のチャットが存在するか否かを判定し、存在すると判定する場合、前記送信時間に基づいて、前記同報メッセージを前記ユーザと当該受信者との単独のチャットのチャット画面内に追加し、存在しないと判定する場合、前記同報メッセージを表示するための新しい単独のチャットを確立されない
ことを特徴とする携帯電話機。
【請求項８】
前記第１処理モジュールは、リンクを設定することで、前記同報メッセージを前記ユーザと前記受信者の各々との単独のチャットのチャット画面内に表示する
ことを特徴とする請求項７に記載の携帯電話機。
【請求項９】
前記第１処理モジュールは、さらに、前記ユーザと前記受信者の各々との単独のチャットのチャット画面内に、前記同報メッセージの通信状態を表示する
ことを特徴とする請求項８に記載の携帯電話機。
【請求項１０】
前記通信状態は、送信中、送信済、既読、又は送信失敗を含む
ことを特徴とする請求項９に記載の携帯電話機。
【請求項１１】
前記第１処理モジュールは、さらに、前記ユーザと前記受信者の各々との単独のチャットのチャット画面内に前記同報メッセージを強調表示する
ことを特徴とする請求項７に記載の携帯電話機。
【請求項１２】
前記送信時間及び前記受信者に基づいて、前記ユーザが受信したメッセージを検索し、当該受信したメッセージの中、当該受信者の各々から前記送信時間の後に最初に返信されたメッセージを、前記同報メッセージのチャット画面内に追加するための第２処理モジュールと、をさらに含む
ことを特徴とする請求項７に記載の携帯電話機。
【請求項１３】
プロセッサに実行されることにより、請求項１乃至６のいずれか１項に記載のメッセージチャット履歴リスト表示方法を実現することを特徴とするプログラム。
【請求項１４】
請求項１３に記載のプログラムが記録された記録媒体。
【発明の詳細な説明】
【技術分野】
【０００１】
本発明は、情報分野に関し、より具体的には、メッセージチャット履歴リスト表示方法、携帯電話機、プログラム及び記録媒体に関する。
【背景技術】
【０００２】
メッセージは、携帯電話の標準アプリケーションとして、人々の関係を深め、情報を伝達する重要なツールであり、主に、「１対１」のメッセージ及び「１対複数の相手」のメッセージを含む。現在、多くのスマートフォンは、１対１のメッセージの場合、１つ（単独）のチャット画面で携帯本機のユーザが送信及び受信したＳＭＳ（ｓｈｏｒｔ ｍｅｓｓａｇｅ ｓｅｒｖｉｃｅ）を表示し、つまり、当該単独のチャット画面内に、携帯本機のユーザとある連絡先（１つの電話番号）とのチャット履歴が含まれる。１対複数の相手のメッセージの場合、図１に示されるように、携帯本機のユーザは、メッセージを多数の連絡先に一斉に送信する。１対複数の相手のメッセージの１つの表示形態は、複数の相手に一斉に送信した同報メッセージをグループ化して１つのメッセージとして本携帯本機のユーザに表示し、もう１つの表示形態は、受信者ごとに当該同報メッセージを送信し、チャット履歴で一覧表示します。
【０００３】
従来のメッセージ表示形態において、メッセージ表示の場合、ユーザと連絡先との単独のチャットメッセージは、同報メッセージと別々に表示されるという明らかの欠点が存在する。例えば、ユーザが同報メッセージを送信し、当該同報メッセージの受信者から当該同報メッセージに対する返信を受ける場合、この返信されたメッセージは、同報メッセージを表示するチャット画面ではなく、当該連絡先との単独のチャット画面に表示され、その時、上下のチャットコンテンツが関連せず、ユーザに不便さを感じさせる。
【発明の概要】
【発明が解決しようとする課題】
【０００４】
上記問題を鑑み、本発明の目的は、同報メッセージと単独のチャットとを関連付けることができるメッセージチャット履歴リスト表示方法、携帯電話機、プログラム及び記録媒体を提供する。
【課題を解決するための手段】
【０００５】
上記目的を達成するために、本発明は、
ユーザの携帯電話機にメッセージチャット履歴リストを表示するメッセージチャット履歴リスト表示方法であって、
前記メッセージチャット履歴リストは、前記ユーザと他の受信ユーザ又は連絡先である受信者との間の１対１の単独のチャットにおけるメッセージと、前記ユーザと前記受信者との間の１対多のチャットにおける同報メッセージと、を含み、
前記メッセージチャット履歴リストは、チャット画面内に表示され、
前記ユーザが前記同報メッセージを送信した送信時間及び前記受信者を検索するステップと、
前記送信時間に基づいて、前記同報メッセージを前記ユーザと前記受信者の各々との単独のチャットのチャット画面内に追加するステップと、を含み、
前記同報メッセージの受信者及び送信時間に基づいて、当該同報メッセージを当該受信者との単独のチャットのチャット画面に追加し、前記同報メッセージの受信者から返信されたメッセージを当該同報メッセージのチャット画面内に表示することで、当該同報メッセージと前記単独のチャットとを関連付け、これにより、前記ユーザに前記単独のチャットのチャット画面内で前記メッセージチャット履歴リストにおける正確な位置に表示される前記同報メッセージを確認させる、メッセージチャット履歴リスト表示方法を提供する。
【０００６】
本方案において、同報メッセージの送信時間に基づいて、同報メッセージをユーザと受信者の各々との単独のチャット画面内に追加することで、同報メッセージと単独のチャットとを関連付け、これにより、ユーザが単独のチャットのチャット画面内で同報メッセージを確認することができ、ユーザがメッセージを確認するために利便性をもたらし、ユーザの使用感を高めた。
【０００７】
上記技術方案の好ましい方案として、前記送信時間に基づいて、同報メッセージをユーザと受信者の各々との単独のチャットのチャット画面内に追加するステップは、
受信者ごとに、ユーザと当該受信者との単独のチャットが存在するか否かを判定し、存在すると判定する場合、前記送信時間に基づいて、同報メッセージをユーザと当該受信者との単独のチャットのチャット画面内に追加するステップを含む。当該方案は、余計なチャットが生じることを回避する。
【０００８】
上記技術方案の好ましい方案としてリンクを設定することで、同報メッセージをユーザと前記受信者の各々との単独のチャットのチャット画面内に表示する。当該方案は、余計な情報が生じることを回避し、ストレージを省く。
【０００９】
上記技術方案の好ましい方案として、さらに、ユーザと受信者の各々との単独のチャットのチャット画面内には、同報メッセージの通信状態を表示するステップを含む。当該方案は、ユーザに利便性をもたらす。
【００１０】
上記技術方案の好ましい方案として、前記通信状態は、送信中、送信済、既読、又は送信失敗を含む。
【００１１】
上記技術方案の好ましい方案として、さらに、ユーザと受信者の各々との単独のチャットのチャット画面内には、同報メッセージを強調表示するステップを含む。当該方案は、誤操作を防止することができる。
【００１２】
メッセージチャット履歴リスト表示方法は、
前記送信時間及び受信者に基づいて、ユーザが受信したメッセージを検索し、受信したメッセージの中、受信者の各々から送信時間の後に最初に返信されたメッセージを同報メッセージのチャット画面内に表示するステップと、をさらに含む。
【００１３】
本方案は、同報メッセージの受信者から送信されたメッセージを同報メッセージのチャット画面内に表示することで、同報メッセージと単独のチャットとの関連付けを実現することができる。
【００１４】
対応的に、本発明は、さらに、前記メッセージチャット履歴リストは、前記携帯電話機のユーザと他の受信ユーザ又は連絡先である受信者との間の１対１の単独のチャットにおけるメッセージと、前記ユーザと前記受信者との間の１対多のチャットにおける同報メッセージと、を含み、
前記メッセージチャット履歴リストは、チャット画面内に表示され、
前記ユーザが前記同報メッセージを送信した送信時間及び前記受信者を検索するための第１検索モジュールと、
前記送信時間に基づいて、前記同報メッセージを前記ユーザと前記受信者の各々との単独のチャットのチャット画面内に追加するための第１処理モジュールと、を含み、
前記同報メッセージの受信者及び送信時間に基づいて、当該同報メッセージを当該受信者との単独のチャットのチャット画面に追加し、前記同報メッセージの受信者から返信されたメッセージを当該同報メッセージのチャット画面内に表示することで、当該同報メッセージと前記単独のチャットとを関連付け、これにより、前記ユーザに前記単独のチャットのチャット画面内で前記メッセージチャット履歴リストにおける正確な位置に表示される前記同報メッセージを確認させる、メッセージチャット履歴リストを表示する携帯電話機を提供する。
【００１５】
上記技術方案の好ましい方案として、前記第１処理モジュールは、さらに、受信者ごとに、ユーザと当該受信者との単独のチャットが存在するか否かを判定し、存在すると判定する場合、前記送信時間に基づいて、同報メッセージをユーザと当該受信者との単独のチャットのチャット画面内に追加する。
【００１６】
上記技術方案の好ましい方案として、前記第１処理モジュールは、リンクを設定することで、同報メッセージをユーザと前記受信者の各々との単独のチャットのチャット画面内に表示する。
【００１７】
上記技術方案の好ましい方案として、前記第１処理モジュールは、さらに、ユーザと受信者の各々との単独のチャットのチャット画面内に、同報メッセージの通信状態を表示する。
【００１８】
上記技術方案の好ましい方案として、前記通信状態は、送信中、送信済、既読、又は送信失敗を含む。
【００１９】
上記技術方案の好ましい方案として、前記第１処理モジュールは、さらに、ユーザと受信者の各々との単独のチャットのチャット画面内に同報メッセージを強調表示する。
【００２０】
本発明に係るもう１つのメッセージ表示装置は、
前記送信時間及び受信者に基づいて、ユーザが受信したメッセージを検索し、受信したメッセージの中、受信者の各々から送信時間の後に最初に返信されたメッセージを同報メッセージのチャット画面内に追加するための第２処理モジュールと、をさらに含む。
本発明は、さらに、プロセッサに実行されることにより、前記メッセージチャット履歴リスト表示方法を実現するプログラムを提供する。
本発明は、さらに、前記プログラムを記録した記録媒体を提供する。
【発明の効果】
【００２１】
上記技術方案からわかるように、本発明は、同報メッセージの受信者及び送信時間に基づいて、同報メッセージを受信者との単独のチャット画面に追加し、或いは、同報メッセージの受信者から返信されたメッセージを同報メッセージのチャット画面内に表示することで、同報メッセージと単独のチャットとを関連付け、これにより、ユーザが単独のチャットのチャット画面内で正確な位置に表示される同報メッセージを確認することができ、ユーザがメッセージを確認するように、利便性をもたらし、ユーザの使用感を高めた。
【００２２】
本発明のその他の特徴及び利点は、下記の発明を実施するための形態において詳しく説明し、一部の内容は、下記発明を実施するための形態により明らかになり、又は、本発明を実施することによって習得することができる。本発明の目的及びその他の利点は、本発明を実施するための形態、特許請求の範囲、及び図面による開示により実現し、取得することができる。
【図面の簡単な説明】
【００２３】
本明細書の一部となる図面は、本発明に対するさらなる理解を図るために提供され、本発明の実施例と共に本発明の解釈に用いられるが、本発明の範囲を限定するものではない。これらの図面において、
【図１】従来技術における同報メッセージを模式的に示す図である。
【図２】本発明の実施例に係るメッセージ表示方法の好ましい実施例のフローチャートである。
【図３】本発明の実施例に係るメッセージ表示方法の１つの具体的な実施例のフローチャートである。
【図４】本発明に係るメッセージ表示方法を実施した後のＳＭＳチャット履歴リストを模式的に示す図である
【図５】本発明を実施した後のユーザと受信者との単独のチャット画面を模式的に示す図である。
【図６】本発明の実施例に係るもう１つのメッセージ表示方法の好ましい実施例のフローチャートである。
【図７】本発明の実施例に係るメッセージ表示装置の好ましい実施例の構成を模式的に示す図である。
【図８】本発明の実施例に係るもう１つのメッセージ表示装置の好ましい実施例の構成を模式的に示す図である。
【発明を実施するための形態】
【００２４】
以下、本開示の目的、技術方案及び利点をより明瞭にするために、実施形態と図面を参照し、本開示を更に詳細に説明する。
【００２５】
以下、図面を参照しながら、本発明の好ましい実施例について説明し、ここでの好ましい実施例は、本発明を説明及び解釈するためのものにすぎず、本発明を制限するためのものではないことを理解すべきである。
【００２６】
図２は、本発明に係るメッセージ表示方法の具体的な実施例を示し、当該メッセージ表示方法は、以下のステップを含む。
【００２７】
ステップＳ２１において、ユーザが同報メッセージを送信した送信時間及び受信者を検索する。
【００２８】
ステップＳ２２において、前記送信時間に基づいて、同報メッセージをユーザと受信者の各々との単独のチャット画面内に表示する。
【００２９】
本形態において、同報メッセージの送信時間に基づいて、同報メッセージをユーザと受信者の各々との単独のチャット画面内に追加することで、同報メッセージと単独のチャットとを関連付け、これにより、ユーザが単独のチャット内で同報メッセージを確認することができ、ユーザがメッセージを確認するために利便性をもたらし、ユーザの使用感を高めた。
【００３０】
当該具体的な実施例を実施する際に、以下の状況が起こるおそれがある。即ち、ユーザが５０個の連絡先に１つのＳＭＳを一斉に送信すると、この一斉に送信された同報ＳＭＳが連絡先ごとのＳＭＳに振り分けられ、そして、ユーザと各連絡先との単独のチャットに追加される。この場合、５０個の連絡先の中にＡが含まれるが、携帯電話のチャット履歴の中、ユーザとＡとの単独のチャットが元々存在せず、そのとき、Ａとの単独のチャットを新設し、この同報メッセージを上記新規の単独のチャットに表示する。極端の場合、ユーザの同報メッセージの中に、普段にめったに連絡をとらない連絡先が多く含まれると（例えば、正月のときにお祝いのメッセージを一斉に送信する）、ＳＭＳチャット履歴リスト内、１つの同報メッセージのみが含まれる単独のチャットが大量に現れるおそれがあり、余計なチャットが生じてしまった。
【００３１】
図３は、本発明に係るメッセージ表示方法のもう１つの具体的な実施例を示し、当該メッセージ表示方法は、以下のステップを含む。
【００３２】
ステップＳ３１において、ユーザは、１つの同報メッセージを送信する。
【００３３】
ステップＳ３２において、当該同報メッセージの送信時間及び受信者を検索する。
【００３４】
ステップＳ３３において、受信者ごとに、ユーザと当該受信者との単独のチャットが存在するか否かを判定し、ＹＥＳの場合、ステップＳ３４を実行し、ＮＯの場合、終了する。
【００３５】
ステップＳ３４において、送信時間に基づいて、同報メッセージをユーザと当該受信者との単独のチャット画面に表示する。
【００３６】
単独のチャット画面内には、ユーザの送信したメッセージ及び受信したメッセージが時間順で表示されるため、当該同報メッセージを単独のチャット画面内に表示するとき、同報メッセージの送信時間に基づいて、同報メッセージを単独のチャット画面内の正確な位置に追加し、即ち、時間順に従って適切な位置に追加する。
【００３７】
具体的には、同報メッセージを単独のチャット画面内に表示する方法として、同報メッセージを受信者ごとのメッセージに振り分けられ、振り分けられた後のメッセージをユーザと受信者の各々との単独のチャットにコピーし、単独のチャット画面内に表示する。
【００３８】
本具体的な実施例は、ユーザと当該受信者との単独のチャットが存在するか否か、という受信者に対して判定を行うステップを追加し、存在すると判定する場合にのみ、同報メッセージを単独のチャット画面内に表示する。即ち、同報メッセージは、既存のユーザと連絡先との単独のチャット画面内にしか表示せず、本来に単独のチャットが存在しない連絡先について、あえて新しい単独のチャットに上記同報メッセージを表示するようにしない。
【００３９】
例えば、図４に示したＳＭＳチャット履歴リストの中、第1のチャットは、ユーザと「中国移動通信（商標）お客様サポート」との単独のチャットであり、第２のチャットは、同報メッセージを含み、同報メッセージの内容が「これは、同報メッセージです」であり、受信者が「中国移動通信お客様サポート」、及び「中国聯合通信（商標）」を含む。本実施例を適用すると、ユーザと「これは、同報メッセージです」である同報メッセージの受信者の中の「中国移動通信お客様サポート」との間に単独のチャットが存在するため、図５に示されるように、「これは、同報メッセージです」である同報メッセージは、第１のチャット画面に表示される。ユーザと「中国聯合通信」との単独のチャットが本来に存在しないため、ユーザと「中国聯合通信」との単独のチャットに新規に当該同報メッセージを表示するようにしない。
【００４０】
上記具体的な実施例は、余計なチャットが生じることを回避することができる。
【００４１】
上述実施例において、同報メッセージを、受信者ごとの単独のチャットにコピーするようにするため、情報を重複して保存してしまい、ストレージを浪費することになる。従って、より好ましくは、リンクを設定する方法を用いて、同報メッセージをユーザと前記受信者との単独のチャット画面内に表示する。つまり、同報メッセージを各連絡先との単独のチャットにコピーする必要がなく、単独のチャットが同報メッセージをアクセスして引用できるようにリンクを設定する。そのため、余計な情報が生じることを回避し、ストレージを大幅に省く。
【００４２】
リンクを設定することで、同報メッセージをユーザと連絡先との単独のチャット画面内に表示すると、同報メッセージの通信状態を取得することができるため、さらに、単独のチャット画面内に、同報メッセージとともに当該同報メッセージの通信状態を表示することができ、これにより、ユーザが単独のチャット内に当該同報メッセージの通信状態を直接に確認することができる。
【００４３】
好ましくは、同報メッセージの通信状態は、例えば、送信中、送信済、既読、又は送信失敗である。
【００４４】
単独のチャット画面内に同報メッセージを表示することは、グループチャットに含まれる同報メッセージをアクセスし引用することにより実現されるため、単独のチャット画面内に表示された同報メッセージ、又はグループチャット内の同報メッセージに対する操作（例えば、削除操作）は、上記の両者に影響を与える。従って、ユーザの誤操作を防ぐために、単独のチャット画面内に同報メッセージを強調表示する必要がある。例えば、図５に示した「同報メッセージ」のように、単独のチャット画面内に特殊な文字色又は特殊な背景色で引用された同報メッセージを表示することで上記の両者を区別する。
【００４５】
携帯電話に本形態を適用する場合、基本的には、チャットの形式でＳＭＳを携帯電話に保存するため、各チャットがマークとして１つのチャットＩＤ（利用者識別符号）を有し、チャットＩＤに当該チャットに含まれる具体的なＳＭＳコンテンツのテキストが対応付けられる。同報メッセージが単独のチャットに属しないので、同報メッセージに対応するチャットＩＤが単独のチャットＩＤと異なり、そのため、チャットＩＤを確認することにより同報メッセージを見つけ出すことができ、そして、当該同報メッセージを強調表示する。なお、同報メッセージのチャットＩＤを記録することができるため、現在チャットから同報メッセージに切り替える操作が実現できる。
【００４６】
図６は、本発明に係るもう１つのメッセージ表示方法の具体的な実施例を示し、当該メッセージ表示方法は、以下のステップを含む。
【００４７】
ステップＳ６１において、ユーザが同報メッセージを送信した送信時間及び受信者を検索する。
【００４８】
ステップＳ６２において、前記送信時間及び受信者に基づいて、ユーザが受信したメッセージを検索し、受信したメッセージの中、受信者の各々から送信時間の後に最初に返信されたメッセージを同報メッセージのチャット画面内に表示する。
【００４９】
本形態において、同報メッセージの受信者から送信されたメッセージを同報メッセージのチャット画面内に表示することで、同報メッセージと単独のチャットとの関連付けを実現することができ、これにより、ユーザは、１つの同報メッセージに対する全ての受信者からの返信状況をはっきりと確認できる。
【００５０】
本発明は、さらに、メッセージ表示装置を提供し、図７に示されるように、当該メッセージ表示装置は、ユーザが同報メッセージを送信した送信時間及び受信者を検索するための第１検索モジュール７０１と、前記送信時間に基づいて、同報メッセージをユーザと受信者の各々との単独のチャット画面内に表示するための第１処理モジュール７０２とを含む。
【００５１】
第１処理モジュール７０２は、さらに、受信者ごとに、ユーザと当該受信者との単独のチャットが存在するか否かを判定するためにも用いられ、存在すると判定する場合、前記送信時間に基づいて、同報メッセージをユーザと当該受信者との単独のチャット画面内に表示する。
【００５２】
第１処理モジュール７０２は、リンクを設定することで、同報メッセージをユーザと前記受信者との単独のチャット画面内に表示するためにも用いられる。
【００５３】
第１処理モジュール７０２は、さらに、ユーザと前記受信者との単独のチャット画面内に、同報メッセージの通信状態を表示するために用いられる。
【００５４】
前記通信状態は、例えば、送信中、送信済、既読、又は送信失敗である。
【００５５】
第１処理モジュール７０２は、さらに、ユーザと前記受信者との単独のチャット画面内に同報メッセージを強調表示するために用いられる。
【００５６】
図８に示されるように、もう１つのメッセージ表示装置は、
ユーザが同報メッセージを送信した送信時間及び受信者を検索するための第２検索モジュール８０１と、
前記送信時間及び受信者に基づいて、ユーザ受信のメッセージを検索し、受信したメッセージの中、受信者の各々から送信時間の後に最初に返信されたメッセージを同報メッセージのチャット画面内に表示するための第２処理モジュール８０２とを含む。
【００５７】
当業者は、本出願の実施例が方法、装置、又はコンピュータプログラム製品の形態で提供されることができると理解すべきである。そのため、本出願は、ハードウェアからなる実施例、ソフトウェアからなる実施例、又はソフトウェアとハードウェアの組合せからなる実施例により実現されることができる。また、本出願は、１つ又は複数のコンピュータ使用可能プログラム・コードが記憶されたコンピューターで使用可能な記憶媒体（ディスクメモリーや、光メモリー等が挙げられるが、これに限定しない）により実行できるコンピュータプログラム製品であってもよい。
【００５８】
本発明の実施例について、本発明の方法と、装置（システム）と、コンピュータプログラム製品とに基づくフローチャート及び／又はブロック図を参照して説明する。コンピュータプログラム指令で、フローチャート及び／又はブロック図における各ステップ及び／又は各ブロック、及びフローチャート及び／又はブロック図におけるステップ及び／又はブロックの組合せを実現すると理解すべきである。これらのコンピュータプログラム指令を、汎用コンピューター、専用コンピューター、組み込みプロセッサ又はほかのプログラマブルデータ処理モバイルデバイスのプロセッサに提供することでマシンを形成し、これにより、コンピューター又はほかのプログラマブルデータ処理モバイルデバイスのプロセッサにより実行された指令は、フローチャートにおける１つのステップ又は複数のステップ及び／又はブロック図における１つのブロック又は複数のブロックで指定された機能を実現できる装置を形成する。
【００５９】
これらのコンピュータプログラム指令は、コンピューター又はほかのプログラマブルデータ処理モバイルデバイスを特定方式で動作させるコンピューター読取可能なメモリーに記憶してもよい。これにより、当該コンピューター読取可能なメモリーに記憶された指令は、フローチャートにおける１つのステップ又は複数のステップ及び／又はブロック図における１つのブロック又は複数のブロックで指定された機能を実現するための指令装置を備える製品を形成する。
【００６０】
これらのコンピュータプログラム指令は、コンピューター又はほかのプログラマブルデータ処理モバイルデバイスに組み込まれても良い。これにより、コンピューター又はほかのプログラマブルモバイルデバイスが一連の操作ステップを実行することで、コンピューターが実現できる処理を生成する。このように、コンピューター又はほかのプログラマブルモバイルデバイスにより実行される指令は、フローチャートにおける１つのステップ又は複数のステップ及び／又はブロック図における１つのブロック又は複数のブロックが指定された機能を実現するためのステップを提供する。
【００６１】
当業者は、本発明の主旨及び範囲を逸脱しない限り、本発明に対して様々な変更及び変形を行うことができることを言うまでもない。このように、本発明に対するこれらの変更及び変形が本発明の特許請求の範囲及びそれに同等な技術範囲内に含まれると、本発明もこれらの変更及び変形を含む。
【図１】
0006419898.tif 000002
【図２】
0006419898.tif 000003
【図３】
0006419898.tif 000004
【図４】
0006419898.tif 000005
【図５】
0006419898.tif 000006
【図６】
0006419898.tif 000007
【図７】
0006419898.tif 000008
【図８】
0006419898.tif 000009